(57)【要約】【課題】ユーザーの目的に適した運動内容を簡易に設定できる運動内容設定システム、運動内容設定装置、運動内容設定方法及び運動内容設定プログラムを提供すること。【解決手段】ユーザーの日常の活動情報を取得して送信する端末装置と、端末装置から取得される活動情報に基づいて、予め設定された目的に応じた運動の内容を示す運動内容情報を設定する運動内容設定装置と、を備える運動内容設定システム。【選択図】図１
2017070598.tif 000002
【特許請求の範囲】
【請求項１】
ユーザーの日常の活動情報を取得して送信する端末装置と、
前記端末装置から取得される前記活動情報に基づいて、予め設定された目的に応じた運動の内容を示す運動内容情報を設定する運動内容設定装置と、を備えることを特徴とする運動内容設定システム。
【請求項２】
請求項１に記載の運動内容設定システムにおいて、
前記活動情報は、前記ユーザーが実施した運動の運動強度、前記運動の運動時間、前記ユーザーの消費カロリー、前記ユーザーの摂取カロリーと消費カロリーとのバランスであるカロリーバランス、前記ユーザーの睡眠状態に関する指標値、及び、前記ユーザーの疲労度合に関する指標値の少なくともいずれかを含むことを特徴とする運動内容設定システム。
【請求項３】
請求項１又は請求項２に記載の運動内容設定システムにおいて、
前記運動内容設定装置は、設定した前記運動内容情報を前記端末装置に送信することを特徴とする運動内容設定システム。
【請求項４】
請求項１から請求項３のいずれか一項に記載の運動内容設定システムにおいて、
前記運動内容設定装置は、
前記活動情報を蓄積する情報蓄積装置と、
前記情報蓄積装置から前記活動情報を取得して、取得された前記活動情報に基づく前記運動内容情報を設定する情報処理装置と、を備えることを特徴とする運動内容設定システム。
【請求項５】
請求項１から請求項４のいずれか一項に記載の運動内容設定システムにおいて、
前記運動内容情報は、前記ユーザーに実施させる運動の運動強度及び運動時間と、当該運動強度及び当該運動時間に基づいて設定される運動メニューとの少なくともいずれかを含むことを特徴とする運動内容設定システム。
【請求項６】
請求項５に記載の運動内容設定システムにおいて、
前記運動内容設定装置は、施設に配置された設備の利用状態を示す利用情報を保持し、前記運動内容情報に前記運動メニューが含まれる場合に、前記利用情報に基づいて、前記ユーザーが利用する際に待ち時間が最も短い前記設備を利用させる前記運動メニューを設定することを特徴とする運動内容設定システム。
【請求項７】
請求項１から請求項６のいずれか一項に記載の運動内容設定システムにおいて、
前記運動内容情報に沿って前記ユーザーが実施した運動の結果を示す運動結果情報を生成する結果情報生成装置を備えることを特徴とする運動内容設定システム。
【請求項８】
請求項１から請求項７のいずれか一項に記載の運動内容設定システムにおいて、
前記運動内容情報によって示される前記運動の内容は、所定の施設内で実施される運動の内容であり、
当該運動内容設定システムは、前記運動内容情報に沿って前記ユーザーが実施した運動の結果に基づいて、前記目的に応じて前記ユーザーが前記所定の施設外で実施すべき運動の内容を示す追加情報を設定する追加運動設定装置を備えることを特徴とする運動内容設定システム。
【請求項９】
請求項１から請求項８のいずれか一項に記載の運動内容設定システムにおいて、
前記運動内容情報によって示される前記運動の内容は、所定の施設内で実施される運動の内容であり、
前記運動内容設定装置は、前記ユーザーの前記所定の施設での予定滞在時間に応じた前記運動内容情報を設定することを特徴とする運動内容設定システム。
【請求項１０】
請求項１から請求項９のいずれか一項に記載の運動内容設定システムにおいて、
前記端末装置は、固有の識別情報を保持し、
前記運動内容設定装置は、前記識別情報を取得し、取得された前記識別情報に基づいて前記ユーザーを特定することを特徴とする運動内容設定システム。
【請求項１１】
請求項１から請求項１０のいずれか一項に記載の運動内容設定システムにおいて、
前記運動内容設定装置は、前記活動情報に基づく前記ユーザーの日常の運動時間と、前記日常の運動時間のうち、所定の運動強度範囲内の運動を実施した時間である範囲内運動時間と、に基づいて、前記運動内容情報を設定することを特徴とする運動内容設定システム。
【請求項１２】
ユーザーの日常の活動情報を取得する活動情報取得部と、
取得された前記活動情報に基づいて、予め設定された目的に応じた運動の内容を設定する運動内容設定部と、を有することを特徴とする運動内容設定装置。
【請求項１３】
情報処理装置を用いて行われ、ユーザーにより実施される運動の内容を設定する運動内容設定方法であって、
前記情報処理装置により、前記ユーザーの日常の活動情報を取得する手順と、
前記情報処理装置により、取得された前記活動情報に基づいて、予め設定された目的に応じた運動の内容を設定する手順と、を含むことを特徴とする運動内容設定方法。
【請求項１４】
情報処理装置により実行され、ユーザーにより実施される運動の内容を設定する運動内容設定プログラムであって、
前記情報処理装置に、
前記ユーザーの日常の活動情報を取得するステップと、
取得された前記活動情報に基づいて、予め設定された目的に応じた運動の内容を設定するステップと、を実行させることを特徴とする運動内容設定プログラム。
【発明の詳細な説明】
【技術分野】
【０００１】
本発明は、運動内容設定システム、運動内容設定装置、運動内容設定方法及び運動内容設定プログラムに関する。
【背景技術】
【０００２】
従来、ユーザーに合わせたパーソナル化エクササイズプログラムを作成する個人用トレーニングシステムが知られている（例えば、特許文献１参照）。
この特許文献１に記載の個人用トレーニングシステムの一態様は、ユーザーの運動動作を検出及び測定する撮像機器及びセンサーと、ディスプレイと、ビデオゲームコンソール等のコンピューターと、を備えて構成される。
【０００３】
この個人用トレーニングシステムでは、コンピューターは、ユーザー（運動者）に提供される運動動作の指示を生成してディスプレイに表示させる。そして、撮像機器により、運動動作を行っているユーザーの画像が取得される他、センサーによって、当該運動動作を行っているユーザーのデータが測定される。この後、コンピューターは、撮像機器により取得された画像、及び、センサーによって測定されたデータに基づいて、エクササイズにより改善することができる領域（身体の部位）を明らかにする人間動作スクリーニングスコアを生成し、当該人間動作スクリーンングスコア及びユーザーの目的等に基づいて、異なるフェーズから開始する複数のエクササイズを含み得るパーソナル化エクササイズプログラムを生成する。このようなエクササイズプログラムは、ユーザーに提示される。
【先行技術文献】
【特許文献】
【０００４】
【特許文献１】特表２０１５−５０１７００号公報
【発明の概要】
【発明が解決しようとする課題】
【０００５】
しかしながら、上記特許文献１に記載の個人用トレーニングシステムでは、ユーザーが指示された運動動作を実施した後に、当該ユーザーの人間動作スクリーニングスコア及び目的等に基づいたパーソナル化エクササイズプログラムが作成される。このため、例えばトレーニングジムやフィットネスクラブ等の施設を利用するユーザーは、当該施設において上記運動動作を行う必要があるという問題がある。
【０００６】
また、近年、ダイエットや体力向上等の目的を持って上記施設にて運動を実施する利用者が増えている。これら利用者には、施設だけでなく日常的に運動を実施している者もいれば、施設でのみ運動を実施し、日常的には運動を実施していない者もいる。これら利用者は、必要に応じてトレーナーに相談する等して自らの運動メニュー（トレーニングプログラム）を決定することが多いが、必ずしも施設外での運動状況が考慮されるわけではないという問題がある。
【０００７】
本発明は、上記課題の少なくとも一部を解決することを目的としたものであり、ユーザーの目的に適した運動内容を簡易に設定できる運動内容設定システム、運動内容設定装置、運動内容設定方法及び運動内容設定プログラムを提供することを目的の１つとする。
【課題を解決するための手段】
【０００８】
本発明の第１態様に係る運動内容設定システムは、ユーザーの日常の活動情報を取得して送信する端末装置と、前記端末装置から取得される前記活動情報に基づいて、予め設定された目的に応じた運動の内容を示す運動内容情報を設定する運動内容設定装置と、を備えることを特徴とする。
【０００９】
なお、活動情報としては、ユーザーの活動の状態を測定した測定結果から導き出される情報とすることができる。また、端末装置としては、ユーザーに装着されて上記活動情報を取得する測定装置を例示できる他、当該測定装置と通信して、活動情報を取得及び送信可能な処理端末を例示できる。
【００１０】
上記第１態様によれば、予め設定された目的に応じた運動内容情報が、当該ユーザーの日常の活動情報に基づいて設定される。これによれば、例えば運動内容設定装置が上記施設に配置されている場合に、当該施設に来場したユーザーが所定の運動動作を行うことなく、ユーザーが施設に来場することによって運動内容情報を設定できる。従って、当該ユーザーの目的に適した運動内容を簡易に設定できる。
【００１１】
上記第１態様では、前記活動情報は、前記ユーザーが実施した運動の運動強度、前記運動の運動時間、前記ユーザーの消費カロリー、前記ユーザーの摂取カロリーと消費カロリーとのバランスであるカロリーバランス、前記ユーザーの睡眠状態に関する指標値、及び、前記ユーザーの疲労度合に関する指標値の少なくともいずれかを含むことが好ましい。
なお、運動強度としては、最大酸素摂取量に基づく運動強度や、カルボーネン法等による脈拍数又は心拍数に基づく運動強度を例示できる。
ここで、ユーザーが実施した運動の運動強度及び運動時間や、ユーザーの消費カロリーを判定することにより、ユーザーが実施した運動の負荷を把握できる。また、ユーザーのカロリーバランスを判定することにより、上記目的がダイエットである場合にダイエットの取組状態を把握できる。更に、ユーザーの睡眠状態に関する指標値及び疲労度合に関する指標値を判定することにより、ユーザーの身体状態を把握できる。
このため、活動情報に上記項目の少なくともいずれかが含まれることにより、ユーザーの状態を適切に把握できる。従って、当該ユーザーの活動状態及び目的に応じた運動内容情報を簡易かつ適切に設定できる。
【００１２】
上記第１態様では、前記運動内容設定装置は、設定した前記運動内容情報を前記端末装置に送信することが好ましい。
このような構成によれば、端末装置が表示部等の報知部を有する場合には、当該端末装置が運動内容情報を受信して報知することにより、ユーザーが当該運動内容情報を把握しやすくすることができる。
【００１３】
上記第１態様では、前記運動内容設定装置は、前記活動情報を蓄積する情報蓄積装置と、前記情報蓄積装置から前記活動情報を取得して、取得された前記活動情報に基づく前記運動内容情報を設定する情報処理装置と、を備えることが好ましい。
なお、これら情報蓄積装置及び情報処理装置は、別体でも一体でもよい。
上記構成によれば、情報蓄積装置が、端末装置にて取得される活動情報を蓄積することにより、端末装置において活動情報を記憶する記憶容量を小さくすることができる。
また、情報蓄積装置と情報処理装置とが、それぞれ別体で構成されている場合には、それぞれの処理負荷を軽減できる他、これらを互いに離れた位置に配置できる。
一方、情報蓄積装置と情報処理装置とが一体化されている場合には、情報処理装置による活動情報の取得にタイムラグが発生することが抑制されるので、当該情報処理装置による上記運動内容情報の設定処理が遅延することを抑制できる。
【００１４】
上記第１態様では、前記運動内容情報は、前記ユーザーに実施させる運動の運動強度及び運動時間と、当該運動強度及び当該運動時間に基づいて設定される運動メニューとの少なくともいずれかを含むことが好ましい。
このような構成によれば、運動強度及び運動時間が運動内容情報に含まれる場合には、これらによって実施すべき運動の負荷を把握できるので、当該運動内容情報に沿って運動を実施することにより、上記目的に適した運動を確実に実施できる。一方、運動メニューが運動内容情報に含まれる場合には、当該運動メニューに沿った運動を実施することにより、運動強度等の知識に乏しいユーザーであっても、上記目的に適した運動を確実かつ簡易に実施できる。
【００１５】
上記第１態様では、前記運動内容設定装置は、施設に配置された設備の利用状態を示す利用情報を保持し、前記運動内容情報に前記運動メニューが含まれる場合に、前記利用情報に基づいて、前記ユーザーが利用する際に待ち時間が最も短い前記設備を利用させる前記運動メニューを設定することが好ましい。
このような場合、運動内容設定装置は、トレーニングジムやフィットネスクラブ等の施設に配置されることが好ましい。
上記構成によれば、ユーザーが上記施設に来場し、少なくとも１つの設備を用いて上記運動メニューにより示される運動を実施する場合に、最も短い待ち時間で効率的に当該運動を実施できる他、施設内の設備を有効に活用できる。
【００１６】
上記第１態様では、前記運動内容情報に沿って前記ユーザーが実施した運動の結果を示す運動結果情報を生成する結果情報生成装置を備えることが好ましい。
なお、結果情報生成装置は、上記運動内容設定装置と別体でも一体でもよい。
上記構成によれば、ユーザーは、上記運動結果情報を確認することにより、自らが実施した運動の内容を容易に把握できる。従って、更なる運動のモチベーションを高めることができる。
【００１７】
上記第１態様では、前記運動内容情報によって示される前記運動の内容は、所定の施設内で実施される運動の内容であり、当該運動内容設定システムは、前記運動内容情報に沿って前記ユーザーが実施した運動の結果に基づいて、前記目的に応じて前記ユーザーが前記所定の施設外で実施すべき運動の内容を示す追加情報を設定する追加運動設定装置を備えることが好ましい。
なお、追加運動設定装置は、上記運動内容設定装置と別体でも一体でもよい。
上記構成によれば、ユーザーが所定の施設内で実施すべき運動の内容だけでなく、施設外で実施すべき運動の内容を示す追加情報も課題として生成される。これによれば、上記運動内容情報及び追加情報をユーザーに提示して実施させることにより、ユーザーに運動の習慣を身に付けやすくすることができる。また、追加情報に応じた運動をユーザーが実施することにより、施設内だけでなく施設外でも、上記目的に適した運動をユーザーが実施できる。
【００１８】
上記第１態様では、前記運動内容情報によって示される前記運動の内容は、所定の施設内で実施される運動の内容であり、前記運動内容設定装置は、前記ユーザーの前記所定の施設での予定滞在時間に応じた前記運動内容情報を設定することが好ましい。
このような構成によれば、上記予定滞在時間が短いユーザーであっても、上記目的に適した運動を効率よく実施できる。
【００１９】
上記第１態様では、前記端末装置は、固有の識別情報を保持し、前記運動内容設定装置は、前記識別情報を取得し、取得された前記識別情報に基づいて前記ユーザーを特定することが好ましい。
このような構成によれば、例えば、ユーザーが利用する端末装置をトレーニングジム等の会員証代わりにも利用できる。従って、端末装置の汎用性及び利便性を向上させることができる。
【００２０】
上記第１態様では、前記運動内容設定装置は、前記活動情報に基づく前記ユーザーの日常の運動時間と、前記日常の運動時間のうち、所定の運動強度範囲内の運動を実施した時間である範囲内運動時間と、に基づいて、前記運動内容情報を設定することが好ましい。
ここで、上記目的が例えばダイエットや体力向上である場合、日常の運動時間が比較的長い場合でも、脂肪燃焼や筋肉増強が効率よく行われる運動強度範囲内の運動の実施時間が比較的短い場合には、当該目的に適した運動が十分に実施されているとは言い難い。
これに対し、上記構成によれば、上記日常の運動時間及び範囲内運動時間を考慮して上記運動内容情報が設定されるので、例えば、上記目的に適した運動が十分に実施されていない場合や、負荷が大きすぎて心身が疲労していると判定される場合には、ユーザーに実施させる運動の負荷を調整できる。従って、ユーザーの状態に適した運動を実施させることができる。
【００２１】
本発明の第２態様に係る運動内容設定装置は、ユーザーの日常の活動情報を取得する活動情報取得部と、取得された前記活動情報に基づいて、予め設定された目的に応じた運動の内容を設定する運動内容設定部と、を有することを特徴とする。
上記第２態様によれば、上記第１態様に係る運動内容設定システムと同様の効果を奏することができる。
【００２２】
本発明の第３態様に係る運動内容設定方法は、情報処理装置を用いて行われ、ユーザーにより実施される運動の内容を設定する運動内容設定方法であって、前記情報処理装置により、前記ユーザーの日常の活動情報を取得する手順と、前記情報処理装置により、取得された前記活動情報に基づいて、予め設定された目的に応じた運動の内容を設定する手順と、を含むことを特徴とする。
なお、情報処理装置としては、ＰＣ（Personal Computer）やサーバー等のコンピューターを例示できる。
上記第３態様によれば、当該運動内容設定方法が情報処理装置を用いて実施されることにより、上記第２態様に係る運動内容設定装置と同様の効果を奏することができる。
【００２３】
本発明の第４態様に係る運動内容設定プログラムは、情報処理装置により実行され、ユーザーにより実施される運動の内容を設定する運動内容設定プログラムであって、前記情報処理装置に、前記ユーザーの日常の活動情報を取得するステップと、取得された前記活動情報に基づいて、予め設定された目的に応じた運動の内容を設定するステップと、を実行させることを特徴とする。
上記第４態様によれば、当該運動内容設定プログラムが情報処理装置により実行されることにより、当該情報処理装置が、上記第２態様に係る運動内容設定装置と同様の効果を奏することができる。
【００２４】
なお、このような運動内容設定プログラムは、コンピューター読取可能に記録媒体に記録されていてもよい。このような記録媒体から、情報処理装置が運動内容設定プログラムを読み取って実行することにより、当該情報処理装置は、上記第２態様に係る運動内容設定装置と同様の効果を奏することが可能となる。このような記録媒体としては、磁気テープ、磁気ディスク、光ディスク、光磁気ディスク、ＨＤＤ（Hard Disk Drive）及び半導体メモリー等を例示でき、これらを利用して、運動内容設定プログラムを情報処理装置にて実行できる。この他、当該運動提示プログラムは、ネットワークを介して提供されてもよい。
【図面の簡単な説明】
【００２５】
【図１】本発明の一実施形態に係る運動内容設定システムの構成を示す模式図。
【図２】上記実施形態における測定装置の利用状態の一例を示す図。
【図３】上記実施形態における測定装置の構成を示すブロック図。
【図４】上記実施形態における測定装置の制御部の構成を示すブロック図。
【図５】上記実施形態における処理端末の構成を示すブロック図。
【図６】上記実施形態におけるサーバーの構成を示すブロック図。
【図７】上記実施形態における情報処理装置の構成を示すブロック図。
【図８】上記実施形態におけるユーザーテーブルの内容を示す図。
【図９】上記実施形態における利用状況テーブルの内容を示す図。
【図１０】上記実施形態における情報処理装置の制御部の構成を示すブロック図。
【図１１】上記実施形態における管理者画面の一例を示す図。
【図１２】上記実施形態における運動結果画面の一例を示す図。
【図１３】上記実施形態における課題提示画面の一例を示す図。
【図１４】上記実施形態における運動内容設定処理を示すフローチャート。
【発明を実施するための形態】
【００２６】
以下、本発明の一実施形態について、図面に基づいて説明する。
［運動内容設定システムの概略構成］
図１は、本実施形態に係る運動内容設定システム１の構成を示す模式図である。
本実施形態に係る運動内容設定システム１は、図１に示すように、ユーザーＵＳにより利用される測定装置２及び処理端末３と、サーバー４と、情報処理装置５と、を備えて構成される。これらのうち、測定装置２及び処理端末３は、それぞれ本発明の端末装置に相当し、サーバー４及び情報処理装置５は、本発明の運動内容設定装置を構成する。
【００２７】
この運動内容設定システム１では、情報処理装置５は、例えばトレーニングジム等の施設ＦＣに設置され、上記ユーザーＵＳには、当該施設ＦＣの入会に際して、当該ユーザーの認証に用いられる会員証としても機能する上記測定装置２が貸与される。そして、当該測定装置２により、ユーザーＵＳの日常の活動状態（運動状態）が測定され、当該測定装置２、又は、当該測定装置２と通信する処理端末３から、当該活動状態を示す活動情報が、インターネット等のネットワーク上に位置するサーバー４によって収集及び蓄積される。更に、ユーザーＵＳが上記施設ＦＣに来場すると、当該ユーザーＵＳを認証した情報処理装置５によって、認証されたユーザーＵＳの日常の活動状態を示す活動情報がサーバー４から取得され、当該活動情報に基づく運動強度（推奨運動強度）及び運動時間（推奨運動時間）の他、施設ＦＣでの運動メニュー（トレーニングメニュー）を含む、ユーザーＵＳの目的に適した運動内容情報が情報処理装置５により設定及び提供される。このようにして、ユーザーに適した運動の内容を示す運動内容情報を簡易に設定及び提供することを、運動内容設定システム１は特徴の１つとして有する。
以下、運動内容設定システム１の各構成について説明する。
【００２８】
［測定装置の構成］
図２は、測定装置２の利用状態の一例を示す図である。また、図３は、測定装置２の構成を示すブロック図である。
測定装置２は、図２に示すように、上記ユーザーＵＳに利用されるウェアラブル機器である。この測定装置２は、ユーザーＵＳの身体の一部（図２の例では手首）に装着され、当該ユーザーＵＳの生体情報及び体動情報を検出及び測定する他、位置情報を計測する。
このような測定装置２は、図３に示すように、操作部２１、検出部２２、受信部２３、報知部２４、通信部２５、記憶部２６、信号処理部２７及び制御部２８を有し、これら各部２１〜２８は、バスラインＢＬを介して互いに接続されている。
【００２９】
［操作部の構成］
操作部２１は、測定装置２の外装ケースに配設された複数のボタンを有し、入力（押下）されたボタンに応じた操作信号を制御部２８に出力する。また、操作部２１は、ユーザーのタップ操作を検出して、当該タップ操作に応じた操作信号を制御部２８に出力する。更に操作部２１は、後述する表示部２４１上に配置されるタッチパネルを有し、当該タッチパネルに対するユーザーの操作に応じた操作信号を制御部２８に出力する。なお、このような構成に限らず、ユーザーの操作に応じた操作信号を制御部２８に出力できれば、操作部２１の構成は問わない。
このような操作部２１に対する入力操作により、例えば、ユーザーが摂った食事に関する食事情報を入力できる。このような食事情報は、ユーザーが食事を摂った日時、及び、食事の内容を含む情報であり、当該食事の内容としては、摂った食事の品目や、当該品目に基づく摂取カロリー等を挙げることができる。なお、このような食事情報は、後述する処理端末３にて入力される構成としてもよい。
【００３０】
［検出部の構成］
検出部２２は、ユーザーの生体情報及び体動情報をそれぞれ検出する生体情報検出部２２１及び体動情報検出部２２２を有し、これらによる検出結果を制御部２８に出力する。
生体情報検出部２２１は、本実施形態では、生体情報としての脈波を検出して、当該脈波を示す脈波信号を出力する。しかしながら、これに限らず、生体情報検出部２２１は、脈波に代えて、或いは、加えて、脳波、心電、体温及び発汗量等の他の生体情報を検出する構成としてもよい。
体動情報検出部２２２は、ユーザーの体動情報として、当該ユーザーの体動に応じて変化する加速度を検出し、当該加速度の変化を示す加速度信号を出力する。このような体動情報検出部２２２は、直交３軸の加速度センサーを有する構成を例示できるが、これに限らず、ジャイロセンサーを有する構成としてもよい。
【００３１】
［受信部の構成］
受信部２３は、測定装置２の現在位置を示す位置情報（ユーザーの現在位置を示す位置情報）を取得する。このような受信部２３は、例えばＧＰＳ（Global Positioning System）等の衛星測位システムに対応し、衛星から受信される電波に基づいて上記位置情報を取得するモジュールにより構成できる。なお、受信部２３は、通信用無線電波を用いて位置情報を算出する構成とすることも可能である。
このような受信部２３による位置情報の取得は、所定時間毎に行われるが、後述する解析部２８６によってユーザーが運動していると判定されている間に限って位置情報が取得される構成としてもよい。また、受信部２３は、位置情報を算出するための信号を受信してデジタル変換し、変換後の信号を信号処理部２７に出力して、信号処理部２７にて位置情報を算出するように構成してもよい。
【００３２】
［報知部の構成］
報知部２４は、制御部２８による制御の下、各種情報を報知する。この報知部２４は、例えば、測定装置２の動作状態や、取得された生体情報、体動情報及び位置情報を報知する。この他、報知部２４は、処理端末３、サーバー４及び情報処理装置５から取得された各種情報を報知する。このような報知部２４は、表示部２４１、音声出力部２４２及び振動部２４３を有する。
表示部２４１は、液晶や有機ＥＬ（Electro-Luminescence）等のディスプレイを有し、制御部２８から入力される画像信号に応じた画像を表示する。
音声出力部２４２は、スピーカー等の音声出力手段を有し、制御部２８から入力される音声情報に応じた音声を出力する。
振動部２４３は、制御部２８によって駆動が制御されるモーターを有し、当該モーターの駆動によって生じる振動により、上記情報を報知する。
【００３３】
［通信部の構成］
通信部２５は、上記処理端末３、サーバー４及び情報処理装置５等の外部機器と、直接又はネットワークを介して通信可能な通信モジュールを有する。この通信部２５は、例えば、制御部２８の制御の下、取得された生体情報、体動情報及び位置情報を当該外部機器に送信する。また、通信部２５は、当該生体情報及び体動情報に基づいて算出される脈拍数及び歩調（ピッチ）や、運動強度及び運動時間を送信する。更に、通信部２５は、制御部２８によって生成される活動情報を上記外部機器に送信する。
このような通信部２５は、例えばＩＥＥＥ８０２．１５等の近距離無線通信規格に応じた通信方式により、比較的近くに存在する外部機器と通信可能に構成された通信モジュールを有する。この他、通信部２５は、例えばＩＥＥＥ８０２．１６やＬＴＥ（Long Term Evolution）等の通信規格に応じた通信方式により、公衆通信網を利用してインターネット等のネットワーク上に位置する外部機器と通信可能に構成された通信モジュールを有する。
【００３４】
［記憶部の構成］
記憶部２６は、フラッシュメモリー等の不揮発性の半導体メモリーにより構成され、測定装置２の動作に必要なプログラム及びデータを記憶している。例えば、記憶部２６は、取得されたユーザーの生体情報及び体動情報や、測定された位置情報を記憶する。また、記憶部２６は、入力された上記食事情報を記憶する他、後述する制御部２８によって生体情報及び体動情報が解析して得られる解析結果情報を記憶する。このような解析結果情報については、後に詳述する。
更に、記憶部２６は、測定装置２に固有の識別情報を記憶している。この識別情報は、後述する情報処理装置５によって取得され、ユーザーの認証に利用される。なお、このような識別情報は、当該情報処理装置５から取得されて記憶部２６に記憶されてもよい。
【００３５】
［信号処理部の構成］
信号処理部２７は、ＤＳＰ（Digital Signal Processor）等の信号処理回路を有し、検出部２２によって検出された生体情報である脈波信号及び体動情報である加速度信号の信号処理を実行する。
例えば、信号処理部２７は、生体情報検出部２２１によって検出された脈波信号から体動情報検出部２２２によって検出された加速度信号に基づく体動ノイズ成分を除去して、拍動信号を得る。そして、信号処理部２７は、当該拍動信号及び加速度信号に対してＦＦＴ（高速フーリエ変換：Fast Fourier Transform）等の周波数解析を行い、得られた処理結果（パワースペクトル）を制御部２８に出力する。
【００３６】
［制御部の構成］
図４は、制御部２８の構成を示すブロック図である。
制御部２８は、ＣＰＵ（Central Processing Unit）等の演算処理回路を含み、測定装置２の動作を自律的に、或いは、ユーザーの操作に応じて操作部２１から入力される操作信号に応じて制御する。この制御部２８は、例えば、上記信号処理部２７による処理結果を解析する他、通信部２５を介して各種情報を情報処理装置５に送信する。
このような制御部２８は、図４に示すように、上記演算処理回路が記憶部２６に記憶されたプログラムを実行することで実現される計時部２８１、検出制御部２８２、報知制御部２８３、通信制御部２８４、情報取得部２８５、解析部２８６及び情報送信部２８７を有する。
【００３７】
計時部２８１は、現在日時を計時する。
検出制御部２８２は、上記検出部２２の動作を制御する。
報知制御部２８３は、報知部２４の動作を制御する。例えば、報知制御部２８３は、測定装置２の動作状態、検出部２２による検出結果、解析部２８６による解析結果、及び、通信部２５により取得された各種情報等を示す報知情報を報知部２４に出力して、当該報知情報を報知部２４に報知させる。
通信制御部２８４は、上記通信部２５の動作を制御する。
【００３８】
情報取得部２８５は、操作部２１、検出部２２、受信部２３、通信部２５及び信号処理部２７から入力される各種信号及び情報を取得する。例えば、情報取得部２８５は、検出部２２から入力される生体情報及び体動情報と、受信部２３から入力される位置情報と、信号処理部２７から入力される周波数解析の処理結果と、上記食事情報と、を取得する。そして、情報取得部２８５は、これらの情報を、計時部２８１により計時されている現在日時を示す日時情報に関連付けて記憶部２６に記憶させる。
また、情報取得部２８５は、通信部２５を介して後述する情報処理装置５から上記施設にて実施すべき運動の内容を示す運動内容情報を取得して、上記報知部２４（例えば表示部２４１）に報知させる。この運動内容情報については、後に詳述する。
【００３９】
解析部２８６は、信号処理部２７による上記周波数解析の処理結果から脈拍及び体動の周波数を特定し、これら周波数を所定数倍（例えば６０倍）することにより、ユーザーの脈拍数及び歩調を算出する。このような解析部２８６による脈拍数及び歩調の解析は、所定時間毎（例えば５秒毎）に行われる。
また、解析部２８６は、算出された脈拍数が所定の脈拍数である第１閾値を超え、かつ、算出された歩調が所定値を超えている状態の時間を、ユーザーが運動している運動時間と見做して、当該運動時間を算出する。更に、解析部２８６は、当該運動時間のうち、脈拍数が第１閾値より高い第２閾値を超えている状態の時間を、範囲内運動時間（ゾーン内運動時間）として算出する。このような第１閾値及び上記所定値は、ユーザーが運動を実施している際に記録される脈拍数及び歩調に応じて設定される値であり、また、第２閾値は、効率よく脂肪が消費される運動や、筋肉量の増加に適した運動等が実施されている際に記録される脈拍数に応じて設定される値である。なお、上記第２閾値を超える範囲はゾーンと呼称される。
加えて、解析部２８６は、運動時間と判定された期間における運動強度を算出する。このような運動強度は、例えば、カルボーネン法によって算出される運動強度とすることができるが、他の方法によって算出される運動強度であってもよい。
そして、解析部２８６は、これらの算出結果を、記憶部２６に記憶させる。
【００４０】
情報送信部２８７は、通信部２５を介して処理端末３又はサーバー４に、記憶部２６に記憶された各種情報を送信する。
具体的に、情報送信部２８７は、上記解析部２８６による解析結果である解析結果情報と、測定装置２の識別情報と、上記食事情報とを含むユーザーの日常の活動情報を送信する。これらのうち、解析結果情報は、例えば、脈拍数及び歩調のそれぞれの推移と、取得された位置情報の推移と、各検出日の運動時間及び範囲内運動時間と、これら運動時間及び範囲内運動時間における運動強度の推移と、を含む導出情報、並びに、これら導出情報の基礎となる生体情報、体動情報及び位置情報の取得日時を示す日時情報等を含む情報である。
このような活動情報を送信する場合、情報送信部２８７は、活動情報の送信時間を短縮するために、処理端末３又はサーバー４に前回活動情報を送信した後に蓄積された情報と、上記識別情報とを送信する。このため、記憶部２６には、活動情報を送信した日時が記憶される。しかしながら、これに限らず、情報送信部２８７は、記憶部２６に記憶されている全ての解析結果情報を含む活動情報を送信してもよい。
なお、情報送信部２８７は、活動情報を送信させる入力操作に応じた操作信号が操作部２１から入力された場合や、活動情報を要求する要求情報が通信部２５を介して受信された場合、予め定められた送信時刻に現在時刻が達した場合、或いは、前回送信してから所定時間が経過した場合に、上記活動情報を送信する構成としてもよい。
また、上記のように、食事情報を処理端末３が設定してサーバー４に送信する場合には、測定装置２が処理端末３又はサーバー４に送信する活動情報に食事情報は含まれなくてよい。
【００４１】
なお、解析結果情報は、測定装置２で取得された各種情報にそれぞれ基づいて導き出される他の導出情報を含んでいてもよい。このような他の導出情報としては、例えば、摂取カロリー、消費カロリー、摂取カロリーと消費カロリーとのバランスであるカロリーバランス、睡眠の質及び深さに関する睡眠指標値、疲労度合に関する指標値、走行距離、並びに、歩数等が挙げられる。これら導出情報は、上記解析部２８６が、当該取得された各種情報を解析することによって取得できる。例えば、摂取カロリーは、上記食事情報に基づいて取得でき、消費カロリーは、脈拍数等の生体情報と体動情報とに基づいて取得できる。また、睡眠の質及び深さに関する指標値と疲労度合に関する指標値とは、同じく生体情報と体動情報とに基づいて取得でき、走行距離及び歩数は、上記体動情報に基づいて取得できる。
【００４２】
更に、情報送信部２８７は、通信部２５を介して情報処理装置５から、測定装置２の識別情報を要求する要求情報が受信された場合に、記憶部２６に記憶された識別情報を、当該要求信号の送信元である情報処理装置５に送信する。
そして、情報処理装置５により当該識別情報に基づくユーザー認証が行われた後では、情報送信部２８７は、当該情報処理装置５からの要求情報に基づいて、上記施設ＦＣにユーザーが滞在する間、当該情報処理装置５に上記活動情報を送信する。
【００４３】
なお、本実施形態では、上記活動情報は、測定装置２からサーバー４に直接送信可能である。このため、当該活動情報は、必ずしも処理端末３を介してサーバー４に送信されなくてもよい。しかしながら、測定装置２は活動情報をサーバー４に送信せずに処理端末３に送信し、処理端末３が当該活動情報をサーバー４に送信する構成としてもよい。また、施設ＦＣ内にユーザーが滞在している間の活動情報（施設内活動情報）は、測定装置２から情報処理装置５を介してサーバー４に送信されてもよい。
一方、測定装置２が、検出部２２による検出結果、受信部２３による取得結果、及び、それぞれの結果の取得日時を処理端末３に送信し、処理端末３が、受信した情報に基づいて上記活動情報を生成してサーバー４に送信する構成としてもよい。この場合には、測定装置２は、上記解析部２８６を有さなくてもよい。また、測定装置２及び処理端末３から送信される情報に、位置情報は含まれていなくてもよく、受信部２３は無くてもよい。
【００４４】
［処理端末の構成］
図５は、処理端末３の構成を示すブロック図である。
図１に示すように、処理端末３は、本発明の端末装置の１つであり、上記ユーザーによって利用される情報端末装置（コンピューター）である。具体的に、処理端末３は、スマートフォン（多機能携帯電話機）、タブレット及びＰＣ等により構成可能であり、本実施形態では、図３に示すようにスマートフォンにより構成されている。
この処理端末３は、測定装置２と通信して、当該測定装置２から生体情報及び体動情報の他、上記活動情報を取得して記憶及び管理する。この他、処理端末３は、測定装置２がサーバー４に活動情報を直接送信できない場合には、測定装置２から受信された活動情報、或いは、処理端末３にて生成した活動情報を、サーバー４に送信する。
このような処理端末３は、図６に示すように、操作部３１、報知部３２、通信部３３、記憶部３４及び制御部３５を有し、これら各部３１〜３５は、バスラインＢＬを介して互いに電気的に接続されている。
【００４５】
［操作部の構成］
操作部３１は、上記操作部２１と同様に、上記ユーザーによる入力操作を受け付け、当該入力操作に応じた操作信号を制御部３５に出力する。このような操作部３１は、例えば、処理端末３の筐体に設けられた物理キーやタッチパネル等により構成できる他、当該処理端末３に接続されるキーボード及びポインティングデバイス等により構成できる。
なお、操作部３１を操作することによっても、上記食事情報を入力可能である。
【００４６】
［報知部の構成］
報知部３２は、制御部３５による制御の下、ユーザーに各種情報を報知する。この報知部３２は、上記報知部２４と同様に、表示部３２１、音声出力部３２２及び振動部３２３を有する。
表示部３２１は、液晶及び有機ＥＬ等の各種表示パネルを有し、後述する制御部３５による制御の下、所定の画像を表示する。このような画像として、例えば、後述する情報処理装置５から受信される運動内容情報を含む画像や、運動結果を含む画像、及び、次回までの課題を含む画像が挙げられる。
音声出力部３２２は、スピーカー等の音声出力手段を備えて構成され、制御部３５から入力される音声情報に応じた音声を出力する。
振動部３２３は、制御部２８による制御の下で駆動して、振動を発生させるモーターを有する。なお、本実施形態では、上記のように処理端末３がスマートフォンにより構成されていることから、報知部３２は振動部３２３を有するが、処理端末３がタブレットやＰＣにより構成されている場合等では、振動部はなくてもよい。
【００４７】
［通信部の構成］
通信部３３は、測定装置２、サーバー４及び情報処理装置５と通信可能な通信モジュールを有する。ここで、通信部３３が、測定装置２、サーバー４及び情報処理装置５のそれぞれと同じ通信方式にて通信する場合には、通信部３３は、１つの通信モジュールを有する。一方、測定装置２と通信する際の通信方式と、サーバー４と通信する際の通信方式と、情報処理装置２と通信する際の通信方式との少なくともいずれかが異なる場合には、通信部３３は、それぞれの通信方式による通信を可能とする複数の通信モジュールを有する。
【００４８】
［記憶部の構成］
記憶部３４は、ＨＤＤ（Hard Disk Drive）、ＳＳＤ（Solid State Drive）及びフラッシュメモリー等により構成され、処理端末３の動作に必要な各種プログラム及びデータを記憶している。
例えば、記憶部３４は、上記データとして、上記測定装置２と通信接続するための接続情報を記憶している。また、記憶部３４は、通信部３３によって測定装置２から受信された上記活動情報等の情報を記憶する。
【００４９】
一方、記憶部３４は、上記プログラムとして、例えばＯＳ（Operating System）や、通信部３３を介して測定装置２から受信される上記活動情報を管理する管理プログラムを記憶している。この管理プログラムは、受信された活動情報に含まれる日時情報に基づく検出日及び検出時刻毎に、同じく活動情報に含まれる生体情報（脈拍数）、体動情報（歩調）、位置情報及び運動時間（範囲内運動時間を含む）等を記憶させる等して、これら情報を管理するものである。なお、上記のように、活動情報には必ずしも運動時間は含まれないので、当該運動時間が含まれない場合には、管理プログラムは、当該運動時間を算出するためのプログラムを含んでいる。更に、活動情報に、上記検出部２２による検出信号が含まれている場合には、上記信号処理部２７による機能をソフトウェアによって実現するためのプログラムや、上記解析部２８６の機能を実現するプログラムも、管理プログラムに含まれる。更に、管理プログラムは、入力又は選択された品目から、ユーザーの摂取カロリーを算出するプログラムを含んでもよい。
【００５０】
［制御部の構成］
制御部３５は、ＣＰＵ等の演算処理回路を含み、記憶部３４に記憶されたＯＳを実行して、処理端末３の動作を自律的に、或いは、ユーザーの操作に応じて操作部３１から入力される操作信号に応じて制御する。
また、制御部３５は、上記管理プログラムを実行して、上記接続情報に基づいて通信が確立された測定装置２から受信及び取得された活動情報を管理する。この際、制御部３５は、必要に応じて、取得された生体情報及び体動情報から脈拍数及び歩調を算出し、更に、必要に応じて、これら脈拍数及び歩調と検出日時とから上記運動時間及び範囲内運動時間を算出する。また、測定装置２から受信及び取得された活動情報に基づいて、制御部３５が、当該活動情報に含まれていない導出情報を導出してもよい。例えば、測定装置２から送信される活動情報に上記導出情報の少なくともいずれかが含まれていない場合には、制御部３５が、当該活動情報に含まれていない導出情報、或いは、他の導出情報を導出するように構成してもよい。
そして、制御部３５は、測定装置２が直接サーバー４と通信できない場合には、当該測定装置２から取得された情報に基づいて生成された上記活動情報を、通信部３３を介してサーバー４に送信する。この際、処理端末３にて食事情報が入力される場合や、上記導出情報が導出される場合には、制御部３５は、入力された食事情報、及び、導出された導出情報を当該活動情報に含めてサーバー４に送信する。
【００５１】
［サーバーの構成］
図６は、サーバー４の構成を示すブロック図である。
図１に示すように、サーバー４は、本発明の運動内容設定装置を構成する情報蓄積装置に相当するものであり、例えば、後述する情報処理装置５が配置される上記施設ＦＣとは異なるデータセンターＤＣに配置される。
このサーバー４は、測定装置２及び処理端末３のうち少なくともいずれかの情報送信装置と通信して、当該情報送信装置から送信される上記活動情報を受信及び記憶する。
このようなサーバー４は、図６に示すように、通信部４１、記憶部４２及び制御部４３を備え、これらはバスラインＢＬを介して互いに接続されている。なお、サーバー４は、これらに加えて、キーボード及びポインティングデバイス等の操作部や、動作画面を表示する表示部等を備えていてもよい。
【００５２】
通信部４１は、制御部４３による制御の下、例えば測定装置２、処理端末３及び情報処理装置５等の外部機器との間で、情報を送受信する。
記憶部４２は、サーバー４の動作に必要なＯＳや各種プログラムの他、上記測定装置２の識別情報毎に、上記活動情報を記憶する。
【００５３】
制御部４３は、上記制御部２８，３５と同様に、ＣＰＵ等の演算処理回路を有し、当該演算処理回路が記憶部４２に記憶されたプログラムを実行することにより、サーバー４の動作を制御する。この制御部４３は、例えば、通信部４１を介して上記情報送信装置（測定装置２及び処理端末３の少なくともいずれか）から受信される活動情報を、記憶部４２に記憶させる。
【００５４】
また、制御部４３は、通信部４１によって、情報処理装置５から活動情報を要求する要求情報が受信された場合に、当該要求情報に含まれる識別情報、及び、必要に応じて当該要求情報に含まれる取得期間情報に応じた活動情報を送信する。例えば、或るユーザーが利用する測定装置２の識別情報と、２０１５年１０月２日１８時から２０１５年１０月９日１５時までの期間を示す取得期間情報とが含まれる要求情報が受信された場合には、制御部４３は、当該識別情報に関連付けて記憶部４２に記憶された活動情報のうち、当該期間内の活動情報を含む送信情報を生成し、当該送信情報を、上記要求情報を送信した情報処理装置５に送信する。
【００５５】
なお、本実施形態では、サーバー４は、情報処理装置５から受信される取得期間情報により示される期間の活動情報を当該情報処理装置５に送信することとしている。しかしながら、これに限らず、サーバー４は、上記取得期間情報が含まれていない場合では、活動情報を要求する要求情報に含まれる識別情報に関連付けて記憶された活動情報の全てを情報処理装置５に送信する構成としてもよい。
【００５６】
［情報処理装置の構成］
図７は、情報処理装置５の構成を示すブロック図である。
情報処理装置５は、本発明の運動内容設定装置を構成する他、本発明の結果情報生成装置及び追加運動設定装置に相当するものであり、例えば上記施設ＦＣに設置されるＰＣにより構成される。この情報処理装置５は、ユーザーに利用されている測定装置２の識別情報に基づいて、上記施設ＦＣに来場したユーザーを認証する。この他、情報処理装置５は、サーバー４に蓄積された当該ユーザーの活動情報と、当該ユーザーの目的とに基づいて、ユーザーの日常の活動状態に適した運動内容を示す運動メニューを提示する。
このような情報処理装置５は、図７に示すように、操作部５１、報知部５２、通信部５３、記憶部５４及び制御部５５を備え、これらはバスラインＢＬを介して互いに接続されている。
【００５７】
［操作部の構成］
操作部５１は、上記操作部２１，３１と同様に、操作者（ユーザー、当該ユーザーを指導するトレーナー及びインストラクター、並びに、情報処理装置５の管理者等）による入力操作を受け付け、当該入力操作に応じた操作信号を制御部３５に出力する。このような操作部３１は、例えば、タッチパネル、キーボード、及び、マウス等のポインティングデバイスにより構成できる。
【００５８】
［報知部の構成］
報知部５２は、制御部５５による制御の下、上記操作者に各種情報を報知する。この報知部５２は、上記報知部３２と同様に、表示部５２１及び音声出力部５２２を有する。
表示部５２１は、液晶及び有機ＥＬ等の各種ディスプレイにより構成され、後述する制御部５５による制御の下、所定の画像を表示する。このような画像として、例えば、後述する制御部５５により生成される運動メニューを含む運動内容情報を示す画像や、後述する運動結果画面ＥＳ（図１２参照）及び課題提示画面ＣＳ（図１３参照）が挙げられる。
音声出力部５２２は、スピーカー等の音声出力手段を備えて構成され、制御部５５から入力される音声情報に応じた音声を出力する。
【００５９】
［通信部の構成］
通信部５３は、制御部５５の制御の下、測定装置２、処理端末３及びサーバー４と通信可能な通信モジュールを有する。ここで、通信部５３が、これら装置２〜４のそれぞれと同じ通信方式にて通信可能である場合には、当該通信部５３は、１つの通信モジュールを有する。一方、それぞれの装置と通信する際の通信方式とが異なる場合には、通信部５３は、それぞれの通信方式に応じた複数の通信モジュールを有する。
このような通信部５３は、上記接続情報に基づいて測定装置２と通信し、当該測定装置２や処理端末３から上記識別情報を取得する他、当該測定装置２や処理端末３に、ユーザーに応じて設定された運動内容情報等を送信する。
また、通信部５３は、取得された識別情報に基づいて、サーバー４から当該識別情報に関連付けて記憶された上記活動情報を取得する。
【００６０】
［記憶部の構成］
記憶部５４は、ＨＤＤ、ＳＳＤ及びフラッシュメモリー等により構成され、情報処理装置５の動作に必要なプログラム及びデータを記憶している。
この記憶部５４は、上記プログラムとして、例えばＯＳ（Operating System）やアプリケーション等の各種プログラムを記憶している。このプログラムには、ユーザーに適した運動内容を設定及び提示する運動内容設定処理を実行するための運動内容設定アプリケーション（本発明の運動内容設定プログラムを含む）が含まれる。なお、運動内容設定処理については、後に詳述する。
また、記憶部５４は、上記データとして、上記測定装置２、処理端末３及びサーバー４と通信接続するための接続情報を記憶している。このような接続情報としては、ペアリング情報やＩＰアドレスを挙げることができる。更に、記憶部５４は、運動内容設定処理の実行時に通信部５３を介してサーバー４から取得された上記活動情報を記憶する。なお、他、施設ＦＣ内に位置する測定装置２及び処理端末３が情報処理装置５に活動情報を送信する場合には、記憶部５４は、当該活動情報を記憶する。
【００６１】
図８は、ユーザーテーブルＴＢ１の内容を示す図である。
更に、記憶部５４は、測定装置２が貸与されるユーザーの個人情報が登録されるユーザーテーブルＴＢ１を記憶している。このユーザーテーブルＴＢ１には、図８に示すように、ユーザーに貸与される測定装置２の識別情報に、当該ユーザーの氏名、生年月日、年齢、性別、身長、体重、上記施設利用の目的、好きな設備及び嫌いな設備等の個人情報が関連付けて登録される。これら個人情報は、例えばユーザーが上記施設ＦＣを初めて利用するとき（入会時）に、当該ユーザー、インストラクター及び管理者のいずれかによって上記操作部５１が操作されることにより登録される。
【００６２】
なお、施設利用の目的には、図８に示した「ダイエット」及び「体力向上」の他に「記録更新」も含まれる。この「記録更新」は、例えば長距離走のタイム更新が挙げられる。
また、個人情報に、運動習慣の有無や、食習慣及び睡眠習慣の傾向を更に含めてもよく、会員有効期間や目標達成期間を含めてもよい。更に、個人情報には、図示を省略するが、上記施設ＦＣに来訪した回数や、過去の来場日時及び退場日時が含まれる。
加えて、図８に示したユーザーテーブルＴＢ１のような、ユーザーの施設利用に関するデータ（施設利用情報）は、情報処理装置５の記憶部５４に記憶されている構成だけでなく、当該記憶部５４ではない情報蓄積装置に記憶され、取得された識別情報に基づいて当該情報蓄積装置から情報処理装置５が取得する構成としてもよい。このような情報蓄積装置としては、サーバー４や、当該サーバー４とは異なるデータサーバーを例示できる。
【００６３】
図９は、利用状況テーブルＴＢ２の内容を示す図である。なお、図９においては、上記施設の利用可能時間帯の中で、１０月８日における１３時から１６時までの間の設備の利用状況を抜き出して示している。
更に、記憶部５４は、情報処理装置５が配置された施設ＦＣに設けられた設備の利用状況が登録される利用情報としての利用状況テーブルＴＢ２を記憶している。この利用状況テーブルＴＢ２には、図９に示すように、上記施設ＦＣに配置された設備名毎に、上記施設ＦＣの営業時間における所定時間刻み（図９の例では１５分刻み）の利用枠が設定されている。そして、上記施設ＦＣの利用者（上記ユーザーを含む）が或る時間帯に或る設備を利用する際には、当該設備及び時間帯に応じた利用枠に、当該利用者に貸与された測定装置２の識別情報、すなわち、当該利用者に割り振られた識別情報が設定される。
【００６４】
例えば、識別情報Ａ０７が割り振られた利用者が、１５時から１５時３０分までベンチプレスＢという設備を利用する場合には、当該ベンチプレスＢの１５時から１５時３０分までの利用枠に、当該識別情報Ａ０７が登録される。これにより、当該設備の利用が予約される。
このような設備の利用予約は、各利用者により個別に実施されてもよく、後述する運動内容設定処理を実行する情報処理装置５によって提示された運動メニューを各利用者が承認することによっても自動的に実施される。
【００６５】
また、記憶部５４は、図示を省略するが、上記設備毎に、当該設備を利用者が利用した場合に達すると想定される運動強度（想定運動強度）が設定された想定運動強度テーブルを記憶している。
ここで、例えばトレッドミルは、踏み台の傾斜を調整することにより利用者にかかる負荷レベルを増加させることができる。このため、上記想定運動強度テーブルには、負荷レベルを調整可能な設備に関して、負荷レベル毎に想定運動強度が設定されている。
このような想定運動強度テーブルは、情報処理装置５（詳しくは制御部５５）が運動内容設定処理を実行する際に参照される。
【００６６】
［制御部の構成］
図１０は、制御部５５の構成を示すブロック図である。
図７に示す制御部５５は、上記制御部２８，３５，４３と同様に、ＣＰＵ等の演算処理回路を有し、当該演算処理回路が記憶部５４に記憶されたプログラムを実行することにより、情報処理装置５の動作を自律的に、或いは、利用者の操作に応じて操作部３１から入力される操作信号に応じて制御する。
このような制御部５５は、図１０に示すように、ＯＳ実行部５５Ａ及びＡＰ実行部５５Ｂを有する。
【００６７】
［ＯＳ実行部の構成］
図１１は、表示部５２１に表示される管理者画面ＡＳの一例を示す図である。
ＯＳ実行部５５Ａは、記憶部５４に記憶されたＯＳを実行する機能部であり、計時部５５１、報知制御部５５２及び通信制御部５５３を有する。
計時部５５１は、現在日時を計時する。
報知制御部５５２は、図示を省略するが、表示制御部及び音声出力制御部を有する。
これらのうち、表示制御部は、上記プログラムの実行時画面を描画して、当該実行時画面を表示部５２１に表示させる。例えば、表示制御部は、図１１に示すように、上記施設ＦＣに来場している利用者の名称、識別情報、脈拍数、及び、当該利用者の現在位置をそれぞれ示す情報を含む管理者画面ＡＳを表示部５２１に表示させる。
この管理者画面ＡＳには、現在施設ＦＣに来場している利用者の氏名、識別情報及び脈拍数が設定される利用者表示欄ＡＳ１が設定されている他、当該施設ＦＣの見取り図ＡＳ２が設定されている。この見取り図ＡＳ２には、各利用者の位置を示すアイコンＡＣが設定されている。このような管理者画面ＡＳを確認することにより、各利用者の運動状態及び施設ＦＣ内での位置を、情報処理装置５の管理者やインストラクターが確認できる。なお、管理者画面ＡＳにて脈拍数が示されない場合には、測定装置２又は処理端末３は、サーバー４又は情報処理装置５に上記活動情報を送信し続けなくてもよく、見取り図ＡＳ２における各利用者の位置は、種々の方法により特定してよい。
また、音声出力制御部は、当該プログラムの実行時に生成された音声信号を出力して、当該音声信号に応じた音声を上記音声出力部５２２に出力させる。
通信制御部５５３は、通信部５３による外部機器との通信を制御する。
【００６８】
［ＡＰ実行部の構成］
図１０に示すように、ＡＰ実行部５５Ｂは、記憶部５４に記憶されたアプリケーションのうち、操作部５１から入力される操作信号に応じてＯＳ実行部５５Ａにより指示されたアプリケーションを実行する。このＡＰ実行部５５Ｂは、当該ＡＰ実行部５５Ｂに上記運動内容設定処理を実施させる運動内容設定アプリケーションを制御部５５のＣＰＵが実行することによって機能するユーザー登録部５５４、認証部５５５、活動情報取得部５５６、滞在時間取得部５５７、運動内容設定部５５８及び結果情報生成部５５９を有する。
【００６９】
［ユーザー登録部の構成］
ユーザー登録部５５４は、操作部５１に対して入力されたユーザーの個人情報を取得し、当該個人情報を上記ユーザーテーブルＴＢ１に登録する。これにより、当該ユーザーの会員登録における個人情報登録がなされる。
【００７０】
［認証部の構成］
認証部５５５は、上記施設ＦＣに来場した者が、会員登録された利用者であるか否かを判定し、会員登録された利用者であると判定された場合には、当該利用者を特定する。
具体的に、本実施形態では会員登録された利用者に上記測定装置２が貸与されるので、認証部５５５は、施設ＦＣに来場したユーザーに装着された測定装置２と通信部５３を介して通信し、当該通信部５３に対して識別情報を要求する要求情報を送信する。この後、認証部５５５は、当該要求情報に応じて送信されて通信部５３により受信された識別情報が、上記ユーザーテーブルＴＢ１に登録されているか否かを判定する。そして、当該識別情報がユーザーテーブルＴＢ１に登録されていないと判定すると、認証部５５５は、ユーザー認証に失敗したと判定する。一方、当該識別情報がユーザーテーブルＴＢ１に登録されていると判定すると、ユーザー認証が成功したと判定し、当該利用者を特定する。
【００７１】
そして、認証部５５５によりユーザー認証に成功したと判定されると、認証された識別情報を有する測定装置２を装着したユーザー、及び、当該ユーザーの活動情報に対して、活動情報取得部５５６、滞在時間取得部５５７、運動内容設定部５５８及び結果情報生成部５５９が有効となる。
以下、認証された識別情報を認証済識別情報という場合がある他、当該認証済識別情報を有する測定装置２を装着したユーザーを認証済ユーザーという場合がある。
【００７２】
このような認証部５５５による認証処理は、通信部５３による通信範囲内に測定装置２が入った際に自動的に実施されてもよく、上記操作部５１に対してユーザーが所定の操作を行った場合に実施されてもよい。これらの場合、例えば、施設ＦＣの会員専用出入口に、上記通信部５３や操作部５１が配置されていれば、会員登録された利用者のみが施設ＦＣ内に入場可能となる。
【００７３】
［活動情報取得部及び滞在時間取得部の構成］
活動情報取得部５５６は、認証済識別情報に関連付けてサーバー４に蓄積された活動情報を、当該サーバー４から取得する。具体的に、活動情報取得部５５６は、当該認証済識別情報を含む要求情報を通信部５３によってサーバー４に送信し、当該要求情報に応じて送信された活動情報を通信部５３により取得する。なお、本実施形態では、活動情報取得部５５６が送信する要求情報には、当該活動情報を取得する期間を示す上記取得期間情報が含まれる。このような取得期間として、認証済ユーザーが施設ＦＣを前回退場してから今回来場するまでの期間（現在日時までの期間）や、今回来場するまでの所定期間（例えば１ヶ月間）が設定されてもよい。このような認証済ユーザーの前回の退場日時は、上記のように、ユーザーテーブルＴＢ１に記憶させておくことができる。
滞在時間取得部５５７は、認証済ユーザーにより操作部５１に対して入力された、施設ＦＣにおける予定滞在時間を取得する。
【００７４】
［運動内容設定部の構成］
運動内容設定部５５８は、認証済ユーザーの個人情報、及び、取得された活動情報に基づいて、施設ＦＣで当該認証済ユーザーが実施すべき運動の内容を設定し、設定された運動の内容を示す運動内容情報を当該認証済ユーザーが利用している測定装置２及び処理端末３の少なくともいずれかに送信する。
【００７５】
詳述すると、運動内容設定部５５８は、まず、上記個人情報に含まれる目的に適した運動内容として、施設ＦＣにて実施すべき運動の運動強度（推奨運動強度）及び運動時間（推奨運動時間）を設定する。
そして、運動内容設定部５５８は、施設ＦＣを前回退場してから今回来場するまでの間の認証済ユーザーの活動情報に含まれる上記運動時間（退場後運動時間）及び上記範囲内運動時間（退場後範囲内運動時間）のうち、退場後運動時間が、認証済ユーザーの年齢、性別及び体重等の個人情報に基づいて設定される第１比較値を超えているか否か、及び、退場後範囲内運動時間が、当該個人情報に基づいて設定される第２比較値を超えているか否かに基づいて、調整係数を設定する。この調整係数は、設定された推奨運動強度及び推奨運動時間を更に調整するための係数であり、運動強度に乗算される強度調整係数と、運動時間に乗算される時間調整係数と、を有する。
なお、これら第１比較値及び第２比較値は、認証済ユーザーが施設ＦＣを前回退場したとき（前回の退場操作時）から今回来場したとき（今回の入場操作時）までの期間に応じて調整される。例えば、第１比較値及び第２比較値は、当該期間が短い場合には小さな値に調整され、当該期間が長い場合には大きな値に調整される。上記活動情報取得部５５６によって取得される活動情報が、今回来場するまでの所定期間における活動情報である場合も同様である。
【００７６】
例えば、運動内容設定部５５８は、退場後運動時間が上記第１比較値を超え、退場後範囲内運動時間が上記第２比較値を超えている場合には、認証済ユーザーの日常の運動状態に問題はないと判断して、強度調整係数及び時間調整係数に最も低い値（例えば、それぞれ１）を設定する。
また、運動内容設定部５５８は、退場後運動時間が上記第１比較値を超えているものの、退場後範囲内運動時間が上記第２比較値を超えていない場合には、認証済ユーザーの日常の運動状態では負荷が不足していると判断して、時間調整係数に最も低い値を設定するものの、強度調整係数に上記より高い値（例えば１．５）を設定する。
一方、運動内容設定部５５８は、退場後運動時間が上記第１比較値を超えていないものの、退場後範囲内運動時間が上記第２比較値を超えている場合には、認証済ユーザーの日常の運動状態では負荷は足りているものの、運動が習慣付けされていないと判断して、強度調整係数に最も低い値を設定するものの、時間調整係数に上記より高い値（例えば１．５）を設定する。
他方、運動内容設定部５５８は、退場後運動時間が上記第１比較値を超えておらず、退場後範囲内運動時間も上記第２比較値を超えていない場合には、認証済ユーザーの日常の運動状態では負荷も時間も足りていないと判断して、強度調整係数及び時間調整係数に最も高い値（例えば、それぞれ２）を設定する。
このようにして設定された強度調整係数は推奨運動強度に乗算され、時間調整係数は推奨運動時間に乗算される。
【００７７】
更に、運動内容設定部５５８は、上記滞在時間取得部５５７により取得された、ユーザーが施設ＦＣに滞在する予定滞在時間に基づいて、上記推奨運動強度及び上記推奨運動時間を更に調整する。
例えば、予定滞在時間が推奨運動時間より短い場合には、運動内容設定部５５８は、予定滞在時間に対する推奨運動時間の割合に基づいて、推奨運動強度を増減させるとともに、推奨運動時間を当該予定滞在時間に置き換える。これにより、認証済ユーザーが施設ＦＣに滞在している時間内で実施すべき運動の推奨運動強度、すなわち、認証済ユーザーの目的、及び、日常の運動状態（活動状態）に適した推奨運動強度を設定できる。
なお、予定滞在時間がユーザーによって入力されていない場合には、推奨運動時間の置き換えは行われない。
【００７８】
そして、運動内容設定部５５８は、設定された推奨運動強度及び推奨運動時間に応じた運動メニュー（トレーニングメニュー）を設定する。この際、運動内容設定部５５８は、上記想定運動強度テーブルを参照して、これら推奨運動強度及び推奨運動時間を満たす運動メニューを、認証済ユーザーの性別、年齢及び体重等の個人情報に応じて設定する。このような運動メニューには、どのような設備をどのくらいの時間利用した運動を実施すべきかを示す情報が含まれており、当該運動メニューは、例えば、プールでのウォーキングを３０分、チェストプレスを１５分、クロストレーナーを１５分実施すべきとの内容が含まれる。なお、運動内容設定部５５８は、このような運動メニューを複数設定してもよい。
【００７９】
このようにして運動メニューが設定されると、運動内容設定部５５８は、上記利用状況テーブルを参照して、当該運動メニューに含まれる設備の利用に待ち時間の発生を最も抑制できる設備利用順を設定する。例えば、上記運動メニューの例において、他の利用者が利用する等して今後３０分の間プールの利用ができないが、チェストプレス及びクロストレーナーの利用は可能である場合には、運動内容設定部５５８は、利用可能なチェストプレス及びクロストレーナーを先に利用し、その後に利用可能となるプールを利用するという設備利用順を設定する。このような設備利用順を運動内容設定部５５８が設定することにより、認証済ユーザーは、設定された運動メニューに示される各設備を短い待ち時間で利用可能となる。
なお、運動メニューが複数設定される場合には、これら運動メニューから待ち時間が最も短く、ユーザーの好きな設備を優先できる運動メニューを選択し、当該運動メニューにおける施設利用順を設定してもよい。また、連続して運動を継続することは、ユーザーにとって大きな負担となることが考えられる他、着替え等が必要な場合があるため、運動メニュー作成時には、１つの施設を利用した運動の実施後には所定期間の休憩時間が確保される運動メニューを組むように構成してもよい。
【００８０】
そして、このような運動メニューは、認証済ユーザーの測定装置２及び処理端末３の少なくともいずれかの装置に送信される。そして、当該装置に対する認証済ユーザーの入力操作によって当該運動メニューが了承されると、運動内容設定部５５８は、上記利用状況テーブルに、各設備の利用登録を実施する。これにより、認証済ユーザーが各設備の利用登録を実施することなく、当該各設備の利用登録が完了する。
なお、本実施形態では、認証済ユーザーが施設ＦＣでの運動に際して、処理端末３を保持しながら運動しなくて済むように、運動内容設定部５５８は、ユーザーに装着される測定装置２に運動内容情報を送信する。
また、本実施形態では、運動内容情報には、上記運動メニューの他、上記推奨運動強度及び推奨運動時間が含まれる。しかしながら、認証済ユーザーに提示される運動内容情報として運動メニューのみを提示してもよく、推奨運動強度及び推奨運動時間のみを提示してもよい。
【００８１】
［結果情報生成部の構成］
結果情報生成部５５９は、本発明の運動結果生成装置及び追加運動設定装置の機能を有する機能部である。この結果情報生成部５５９は、認証済ユーザーが上記操作部５１に対して退場操作を行ったと判定した場合に、施設ＦＣでの滞在時間内の活動情報（施設内活動情報）に基づく運動結果情報を生成する他、次回来場時までの課題（追加情報）を生成する。そして、結果情報生成部５５９は、運動結果情報を含む運動結果画面ＥＳ（図１２参照）と、当該課題を含む課題提示画面ＣＳ（図１３参照）と、を生成する。
【００８２】
［運動結果画面の構成］
図１２は、運動結果画面ＥＳの一例を示す図である。
結果情報生成部５５９は、認証済ユーザーの施設ＦＣでの滞在時間内の活動情報（施設内活動情報）を測定装置２、処理端末３又はサーバー４から取得し、当該施設内活動情報に基づく運動結果を示す運動結果情報を生成する。そして、結果情報生成部５５９は、図１２に一例が示される運動結果画面ＥＳを生成する。
この運動結果画面ＥＳは、上記施設ＦＣでの滞在期間（来場操作が行われてから退場処理が行われるまでの期間であり、図１２の例では午後２時から午後８時までの期間）内の認証済ユーザーの施設内活動情報に基づくカロリー収支、運動時間及び走行距離を示す円グラフＧＣ１〜ＧＣ３と、カロリー収支、脈拍数及び走行距離のそれぞれの推移を示すグラフＧＦ１〜ＧＦ３とを含む運動結果情報、並びに、当該運動結果情報に基づく認証済ユーザーへのメッセージＭＳを含む。なお、脈拍数の推移を示すグラフＧＦ２に代えて、或いは加えて、運動強度の推移を示すグラフが設定されてもよい。他のグラフ及び円グラフに代えて、或いは加えて、他の情報を示すグラフ又は円グラフが設定されてもよい。
【００８３】
ここで、走行距離は、上記滞在期間内で認証済ユーザーが実際に走行した距離ではなく、当該滞在期間内で認証済ユーザーが実施した運動量を走行距離に換算した場合の値である。従って、施設ＦＣの他の来場日に異なる設備を利用した場合でも、来場日毎に運動量を比較することが可能である。一方、運動量を走行距離に置き換えるのではなく、他の指標に置き換えてもよい。
なお、上記滞在期間内に認証済ユーザーの摂取カロリーが増えているのは、当該認証済ユーザーが、当該滞在期間内に間食を摂り、当該間食についての食事情報を登録したことによるものである。
【００８４】
［課題提示画面の構成］
図１３は、課題提示画面ＣＳの一例を示す図である。
また、結果情報生成部５５９は、上記施設内活動情報、及び、施設ＦＣを前回退場してから今回来場するまでの期間の活動情報や上記所定期間の活動情報（特にこれら活動情報に含まれる運動時間及び範囲内運動時間）に基づいて、次回施設ＦＣに来場するまでに認証済ユーザーが実施すべき課題を生成する。この他、結果情報生成部５５９は、これら活動情報に基づく運動習慣の判定結果、今回施設ＦＣにて実施した運動メニュー、及び、施設ＦＣへの来場特典についてのメッセージを生成する。そして、結果情報生成部５５９は、これら課題及びメッセージが含まれる課題提示画面ＣＳを生成する。この際、結果情報生成部５５９は、施設ＦＣを前回退場してから今回来場するまでの期間の活動情報、及び、今回の施設内活動情報に基づいて、上記来場特典に関するポイントの計算及び付与を行う。
【００８５】
この課題提示画面ＣＳは、図１３に示すように、上下に並ぶ４つのメッセージ表示欄ＭＳ１〜ＭＳ４を有し、それぞれ、運動習慣の判定結果についてのメッセージ、今回施設ＦＣにてユーザーにより実施された運動メニュー、新たにユーザーに提示される課題、及び、来場特典についてのメッセージが設定される。
これら運動結果画面ＥＳ及び課題提示画面ＣＳは、表示部５２１に表示される他、認証済ユーザーの測定装置２及び処理端末３に送信される。更に、これら画面ＥＳ，ＣＳは、プリンターによって印刷され、印刷物として認証済ユーザーに渡される。
なお、運動結果画面ＥＳ及び課題提示画面ＣＳは、１つの画面でもよい。
【００８６】
［情報処理装置による運動内容設定処理］
図１４は、情報処理装置５の制御部５５によって実行される運動内容設定処理を示すフローチャートである。
以下、情報処理装置５によって実行される運動内容設定処理の流れを説明する。この運動内容設定処理は、上記のように、記憶部５４に記憶された運動内容設定アプリケーションを制御部５５が有する演算処理装置が実行することによって実施される。
具体的に、運動内容設定処理では、図１４に示すように、まず、認証部５５５が、施設ＦＣに来場したユーザーが装着した測定装置２の識別情報を取得し、当該識別情報が上記ユーザーテーブルＴＢ１に登録されているか否かを判定する（ステップＳ１）。
このステップＳ１の判定処理にて、取得された識別情報がユーザーテーブルＴＢ１に登録されていないと判定された場合には、ユーザー認証が失敗したと判定して、制御部５５は、運動内容設定処理を終了する。
【００８７】
一方、ステップＳ１の判定処理にて、取得された識別情報がユーザーテーブルＴＢ１に登録されていると判定された場合には、活動情報取得部５５６が、当該識別情報に関連付けて記憶された活動情報を取得する（ステップＳ２）。
また、滞在時間取得部５５７が、認証済ユーザーにより入力された予定滞在時間を取得する（ステップＳ３）。
そして、運動内容設定部５５８が、ユーザーテーブルＴＢ１に識別情報に関連付けて記憶された個人情報、利用状況テーブルＴＢ２及び想定運動強度テーブルを参照し、これらの他、取得された活動情報及び予定滞在時間に基づいて、推奨運動強度、推奨運動時間及び運動メニューを含む上記運動内容情報を生成及び送信する（ステップＳ４）。
【００８８】
この後、結果情報生成部５５９は、認証済ユーザーによって退場操作が行われたか否かを判定する（ステップＳ５）。このステップＳ５の判定処理は、退場操作が行われたと判定されるまで、繰り返し実行される。
一方、ステップＳ５の判定処理にて、認証済ユーザーにより退場操作が行われたと判定されると、結果情報生成部５５９は、当該認証済ユーザーに関連する識別情報に基づいて上記施設内活動情報を取得する（ステップＳ６）。
そして、結果情報生成部５５９は、上記運動結果情報及び上記課題を生成し（ステップＳ７，Ｓ８）、更に上記運動結果画面ＥＳ及び課題提示画面ＣＳを生成及び送信する（ステップＳ９）。
これにより、運動内容設定処理は終了される。
なお、施設内活動情報が測定装置２又は処理端末３から定期的に送信される場合には、上記ステップＳ６の処理は、上記ステップＳ４の後で上記ステップＳ５の前において、当該ステップＳ５にて退場操作が行われたと判定されるまで繰り返し実行されてもよい。
【００８９】
［運動内容設定システムの効果］
以上説明した本実施形態に係る運動内容設定システム１は、以下の効果が有する。
運動内容設定装置をそれぞれ構成するサーバー４及び情報処理装置５のうち、サーバー４は、ユーザーの日常の活動情報を取得して送信する端末装置としての測定装置２及び処理端末３の少なくともいずれかの装置と通信して、当該装置から取得される日常の活動情報を収集し、情報処理装置５は、サーバー４によって収集及び蓄積された上記ユーザーの活動情報に基づいて、予め設定された目的に応じた運動の内容を示す運動内容情報を設定する。これによれば、ユーザー（認証部５５５によって認証可能なユーザー）が、上記施設ＦＣに来場することにより、予め設定された目的に適した運動内容情報が、当該ユーザーの日常の活動情報に基づいて設定される。これによれば、当該施設ＦＣに来場したユーザーが、所定の運動動作を行うことなく当該運動内容情報を取得及び確認できる。従って、ユーザーの目的に適した運動内容を簡易に設定及び把握できる。
【００９０】
上記活動情報に、上記解析結果情報が含まれることにより、運動内容情報を設定する情報処理装置５が、少なくともユーザーが施設ＦＣを前回退場してから今回施設ＦＣに来場するまでの期間の当該ユーザーの運動状態等の活動状態を適切に把握できる。従って、当該ユーザーの活動状態及び目的に応じた運動内容情報を簡易かつ適切に設定できる。
【００９１】
情報処理装置５は、設定した運動内容情報を、ユーザーが利用する測定装置２及び処理端末３の少なくともいずれかに送信する。これによれば、表示部２４１を有する測定装置２、及び、表示部３２１を有する処理端末３のいずれかによって、上記運動内容情報を確認できる。従って、ユーザーが当該運動内容情報を把握しやすくすることができる。
なお、本実施形態では、設定された運動内容情報は、ユーザーに装着される測定装置２に少なくとも送信されるので、ユーザーは、処理端末３を持ち歩かずに上記施設ＦＣ内で運動している場合でも、当該運動内容情報を容易に確認できる。
【００９２】
情報処理装置５は、同じく運動内容設定装置を構成し、測定装置２又は処理端末３からユーザーの日常の活動情報を蓄積する情報蓄積装置としてのサーバー４から当該活動情報を取得して、上記運動内容情報を設定する。これによれば、サーバー４が、活動情報を蓄積して保持することにより、測定装置２の記憶部２６、及び、処理端末３の記憶部３４の記憶容量を小さくすることができる。また、サーバー４と情報処理装置５とが、それぞれ別体で構成されているので、それぞれの処理負荷を軽減できる他、これらを互いに離れた位置に配置できるので、配置自由度を向上させることができる。
【００９３】
運動内容設定部５５８により設定される運動内容情報には、上記推奨運動強度及び推奨運動時間が含まれる他、これら推奨運動強度及び推奨運動時間に基づいて設定される運動メニューが含まれる。これによれば、これら推奨運動強度及び推奨運動時間に基づく運動を実施することにより、ユーザーは、自ら設定した目的に適した運動を確実に実施できる。また、上記運動メニューに沿った運動を実施することにより、運動強度等の知識に乏しいユーザーであっても上記目的に適した運動を確実かつ簡易に実施できる。
【００９４】
情報処理装置５の記憶部５４には、施設ＦＣに配置された設備の利用状態を示す利用情報としての利用状況テーブルＴＢ２が記憶され、当該情報処理装置５の制御部５５を構成する運動内容設定部５５８は、当該利用状況テーブルＴＢ２に基づいて、ユーザーが施設ＦＣ内の設備を利用する際に待ち時間が最も短い設備を利用させる運動メニューを設定する。これによれば、ユーザーが施設ＦＣに来場して、運動メニューに沿って運動を実施する際に、短い待ち時間で効率的に当該運動を実施できる他、施設ＦＣ内の設備を有効に活用できる。
【００９５】
情報処理装置５の制御部５５を構成する結果情報生成部５５９は、上記運動内容情報に沿ってユーザーが実施した運動の結果を示す運動結果情報を含む運動結果画面ＥＳを生成する。これによれば、ユーザーは、当該運動結果画面ＥＳを確認することにより、自らが実施した運動の内容を容易に把握できる。従って、更なる運動のモチベーションを高めることができる。
【００９６】
結果情報生成部５５９は、運動内容情報に沿ってユーザーが施設ＦＣ内で実施した運動の結果である施設内活動情報に基づいて、上記目的に応じてユーザーが施設ＦＣ外で実施すべき運動の内容を示す課題（追加情報）を含む課題提示画面ＣＳを生成する。これによれば、ユーザーが施設ＦＣ内で実施すべき運動の内容だけでなく、施設ＦＣ外で実施すべき運動の内容も提示されるので、ユーザーに運動の習慣を身に付けやすくすることができる。また、課題に応じた運動をユーザーが実施することにより、施設ＦＣ内だけでなく施設ＦＣ外でも、上記目的に適した運動をユーザーが効率よく実施できる。
【００９７】
上記運動内容設定部５５８は、ユーザーの施設ＦＣでの予定滞在時間に応じた運動メニューを設定する。これによれば、予定滞在時間が短いユーザーであっても、上記目的に適した運動を効率よく実施できる。
【００９８】
測定装置２は、固有の識別情報を保持し、情報処理装置５の認証部５５５は、上記ユーザーテーブルＴＢ１を参照して、当該測定装置２から取得される識別情報に基づいてユーザーを認証及び特定する。これによれば、測定装置２をトレーニングジム等の施設ＦＣの会員証代わりに利用できる。従って、測定装置２の汎用性及び利便性を向上させることができる。
【００９９】
ここで、上記目的が例えばダイエットや体力向上である場合、日常の運動時間が比較的長い場合でも、脂肪燃焼や筋肉増強が効率よく行われる運動強度範囲内の運動の実施時間が比較的短い場合には、当該目的に適した運動が十分に実施されているとは言い難い。
これに対し、運動内容設定部５５８は、取得された活動情報に含まれるユーザーの日常における所定期間内の運動時間（詳しくは退場後運動時間）と、当該運動時間のうち所定の運動強度範囲内の運動を実施した時間である範囲内運動時間（詳しくは退場後範囲内運動時間）とに基づいて、上記強度調整係数及び時間調整係数を設定する。そして、これら調整係数に基づいて推奨運動強度及び推奨運動時間を調整し、これら推奨運動強度及び推奨運動時間に基づいて運動メニューを設定する。これによれば、ユーザーの日常の運動時間及び範囲内運動時間も考慮して上記運動内容情報が設定されるので、例えば、上記目的に適した運動が十分に実施されていない場合や、負荷が大きすぎて心身が疲労していると判定される場合には、ユーザーに実施させる運動の負荷を調整できる。従って、ユーザーの状態に適した運動を実施させることができる。
【０１００】
［実施形態の変形］
本発明は、上記実施形態に限定されるものではなく、本発明の目的を達成できる範囲での変形、改良等は本発明に含まれるものである。
上記実施形態では、測定装置２及び処理端末３は、それぞれ本発明の端末装置であるとした。しかしながら、本発明はこれに限らない。すなわち、測定装置２がサーバー４に活動情報を送信可能であれば、処理端末３は必ずしもなくてもよい。
一方、ユーザーに装着される測定装置２に比べて、処理端末３は、比較的大きな表示部３２１を採用可能であるので、上記運動内容情報や、運動結果画面ＥＳ及び課題提示画面ＣＳを表示させてユーザーに把握させる場合には、処理端末３がある方が好ましい。
【０１０１】
上記実施形態では、それぞれ本発明の運動内容設定装置を構成し、情報蓄積装置としてのサーバー４と情報処理装置５とは、別体として構成されているとした。しかしながら、本発明はこれに限らない。すなわち、これら情報処理装置５と情報蓄積装置とは一体であってもよい。この場合、情報処理装置５の記憶部５４を情報蓄積装置として利用すればよく、測定装置２及び処理端末３が、ユーザーの活動情報を情報処理装置５に送信すればよい。このような場合には、情報処理装置５が、本発明の運動内容設定装置に相当する。
【０１０２】
上記実施形態では、運動内容設定部５５８は、推奨運動強度及び推奨運動時間と、これらに基づいて設定される運動メニューとを含む運動内容情報を設定した。しかしながら、本発明はこれに限らない。すなわち、推奨運動強度及び推奨運動時間と、運動メニューとのいずれかを含む運動内容情報が生成されてもよく、例えば、推奨脈拍数又は推奨歩調と運動時間とを含む運動内容情報が生成されてもよい。すなわち、運動内容情報に含まれる情報は、他の情報でもよい。
【０１０３】
上記実施形態では、運動内容設定部５５８は、ユーザーが施設ＦＣに滞在する予定の予定滞在時間に基づいて、上記運動内容情報を設定するとした。しかしながら、本発明はこれに限らない。すなわち、予定滞在時間は参照せずに、運動内容情報が設定されてもよく、他の情報に基づいて、運動内容情報が設定されてもよい。
また、ユーザーの目的（ユーザーによる施設利用の目的）、すなわち、運動の目的は、運動内容情報が設定及び生成される際に、ユーザーによって入力されてもよい。この場合、ユーザーがそれぞれ異なる目的に適した運動を実施できる。
【０１０４】
上記実施形態では、情報処理装置５は、利用状況テーブルＴＢ２を保持し、運動内容設定部５５８は、当該利用状況テーブルＴＢ２を参照して、最も短い待ち時間で利用可能な設備の利用順が設定された運動メニューを設定するとした。しかしながら、本発明はこれに限らない。すなわち、情報処理装置５は、利用状況テーブルＴＢ２を保持していなくてもよく、このような設定方法を運動内容設定部５５８が実施しなくてもよい。また、最大の待ち時間を要する運動メニューに対して当該待ち時間を短縮できれば、待ち時間は最短でなくてもよい。更に、運動内容設定部５５８は、当該利用状況テーブルＴＢ２を参照して、複数の運動メニューを生成し、情報処理装置５の制御部５５が、当該複数の運動メニューを報知部５２に表示させてもよい。そして、制御部５５は、操作部５１から入力される操作信号に基づいて、複数の運動メニューのうちいずれかの運動メニューをユーザーが今回実施する運動メニューとして決定し、測定装置２又は処理端末３に送信するように構成してもよい。また、制御部５５は、運動内容設定部５５８が生成した複数の運動メニューを測定装置２又は処理端末３に送信し、当該複数の運動メニューを受信した装置にてユーザーが選択した運動メニューを取得して、ユーザーが今回実施する運動メニューを決定するように構成してもよい。
【０１０５】
上記実施形態では、結果情報生成部５５９は、上記運動結果情報を含む運動結果画面ＥＳ、及び、施設ＦＣ外での実施される運動の内容を示す追加情報である課題を含む課題提示画面ＣＳを生成するとした。しかしながら、本発明はこれに限らない。すなわち、結果情報生成部５５９は、運動結果情報及び課題のいずれかのみを生成してもよく、それぞれを生成しなくてもよい。
また、これら画面ＥＳ，ＣＳは表示部５２１に表示される他、測定装置２及び処理端末３の少なくともいずれかに送信されるとした。更に、当該画面ＥＳ，ＣＳは、印刷されてユーザー（認証済ユーザー）に渡されるとした。しかしながら、本発明はこれに限らない。例えば、これら画面ＥＳ，ＣＳは、表示部５２１に表示されずに、測定装置２及び処理端末３の少なくともいずれかに送信される構成としてもよく、表示部５２１のみに表示されて、測定装置２及び処理端末３には送信されない構成としてもよい。更に、これら画面ＥＳ，ＣＳは、必ずしも印刷されなくてもよい。
【０１０６】
上記実施形態では、運動結果情報及び課題（追加情報）を生成する結果情報生成部５５９は、情報処理装置５が有するとした。しかしながら、本発明はこれに限らない。すなわち、当該結果情報生成部５５９の機能を有し、かつ、情報処理装置５とは別体として構成された装置としてもよい。この際、運動結果情報を生成する装置と、課題を生成する装置とで分けてもよい。更に、結果情報生成部５５９が有する機能の一部を、サーバー４が有していてもよい。
【０１０７】
上記実施形態では、認証部５５５が、測定装置２に記憶された固有の識別情報に基づいて、当該測定装置２を利用するユーザーの認証及び特定を行うこととした。しかしながら、本発明はこれに限らない。すなわち、会員証等の他の構成により、ユーザーの認証を行うようにしてもよい。すなわち、ユーザーと、当該ユーザーの活動情報とを関連付けて、情報処理装置、ひいては、運動内容設定装置が取得できればよい。
【０１０８】
上記実施形態では、施設ＦＣの入会に際して、測定装置２がユーザーに貸与される構成とした。しかしながら、本発明はこれに限らない。例えば、ユーザーが所有している測定装置２を登録して、当該測定装置２による測定情報に基づく上記活動情報に応じて、上記情報処理装置５により運動内容情報が設定されるように構成してもよい。この場合、製造番号等の測定装置２の固有情報とユーザーとを紐付けて上記ユーザーテーブルＴＢ１に登録する等して、上記個人情報のうちユーザーの認証情報を管理するように構成できる。
【０１０９】
上記実施形態では、測定装置２は、直接又は処理端末３を介して、活動情報をサーバー４及び情報処理装置５に送信するとした。しかしながら、本発明はこれに限らない。
例えば、測定装置２から、中継器を介してサーバー４又は情報処理装置５に、施設内活動情報（施設においてユーザーが運動を実施している間に測定装置２によって取得された活動情報）を送信するように構成してもよい。この場合、当該施設に複数の中継器が配置されていれば、ユーザーが当該施設内に居るときには、測定装置２で取得された活動情報を、リアルタイムでサーバー４又は情報処理装置５が取得可能に構成できる。また、上記管理者画面ＡＳにて示した脈拍数のように、運動メニューの進捗状況を当該施設内に位置する情報処理装置５によってリアルタイムで確認できるため、インストラクター等の指導者がユーザーに付き添っていなくても、ユーザーの状況を容易に把握できる。
また、複数の中継器のそれぞれに識別情報が付与され、測定装置２と通信する中継器が、当該測定装置２の識別情報と当該中継器の識別情報とを情報処理装置５に送信し、当該情報処理装置５が、それぞれの中継器及び設備の設置場所や種類等の設備情報と、各中継器の識別情報とを関連付けて保持していれば、情報処理装置５によってユーザーの現在地を容易に把握できる。これにより、例えば、上記管理者画面ＡＳに設定される各利用者の位置精度を高めることができる他、情報処理装置５によって取得された活動情報に基づいて、或る利用者に問題や異常が生じた場合に、指導者等のスタッフが容易に対応することができる。
【０１１０】
また、ユーザーが施設に滞在している間は、測定装置２は、サーバー４ではなく、中継器を介して情報処理装置５に活動情報を送信し続けるとともに、当該活動情報を蓄積し、上記退場操作が行われた後の所定のタイミングで、測定装置２が、当該測定装置２内に蓄積された活動情報をサーバー４に送信する構成としてもよい。この場合でも、情報処理装置５は、上記入場操作が行われたタイミングで、施設を前回退場してから蓄積された活動情報がサーバー４から取得されるので、当該情報処理装置５及びサーバー４のそれぞれにて、ユーザーの活動情報を保持及び記憶できる。
なお、上記の例でも、ユーザーが施設に滞在している間は、測定装置２が情報処理装置５に活動情報を送信し続けなくてもよく、退場操作が実施されたタイミングで、測定装置２に蓄積された活動情報が情報処理装置５に送信される構成としてもよい。
【０１１１】
また、上記のように、施設内に配置される情報処理装置５が、サーバー４の構成を保持していてもよい。この場合、測定装置２及び処理端末３は、上記活動情報を情報処理装置５に送信し、当該情報処理装置５がユーザーの活動情報を蓄積することから、当該情報処理装置５にて、各ユーザーの活動情報を一元管理できる。
更に、例えば、ユーザーが施設に滞在している間は、測定装置２は、活動情報をサーバー４に送信せずに情報処理装置５に送信し、上記退場操作が行われたタイミング、或いは、当該タイミング以降の時点で、情報処理装置５が、当該ユーザーの施設内活動情報をサーバー４に送信するように構成してもよい。
【０１１２】
この他、例えば、測定装置２は、サーバー４に所定のタイミングで活動情報を送信するとともに、施設の入場時に情報処理装置５に対して入場操作が行われたタイミング（上記ユーザー認証時）で、当該情報処理装置５への活動情報の送信を開始し、上記退場操作が行われたタイミングで、当該情報処理装置５への活動情報の送信を停止するように構成してもよい。更に、測定装置２が情報処理装置５に活動情報を送信する場合、上記入場操作が行われた日時を当該測定装置２又は情報処理装置５が記憶しておき、上記退場操作が行われたタイミングで、上記入場操作が行われたタイミングから退場操作が行われたタイミングまでの活動情報を、測定装置２が情報処理装置５に自発的に、或いは、当該情報処理装置５からの要求情報に基づいて送信してもよい。
【０１１３】
上記実施形態では、活動情報は、測定装置２により取得された各種情報（生体情報、体動情報及び位置情報）を解析することによって導き出される各導出情報を含む解析結果情報と、測定装置２の識別情報と、食事情報と、を含むとした。また、解析結果情報は、脈拍数及び歩調のそれぞれの推移と、取得された位置情報の推移と、各検出日の運動時間及び範囲内運動時間と、これら運動時間及び範囲内運動時間の運動における運動強度の推移と、これら情報の基礎となる生体情報、体動情報及び位置情報の取得日時を示す日時情報と、を含む情報とした。更に、解析結果情報には、摂取カロリー、消費カロリー、カロリーバランスや、睡眠の質及び深さに関する睡眠指標値、疲労度合に関する指標値、走行距離、並びに、歩数等の導出情報が含まれていてもよいとした。しかしながら、本発明はこれに限らない。例えば、活動情報は、これら全ての項目の情報が含まれたものでなくてもよい。すなわち、活動情報は、少なくとも施設ＦＣに今回来場するまでの或る所定期間における運動状態、消費カロリー状態及び身体状態の少なくともいずれかのユーザーの状態を判定及び把握可能な情報であれば、当該活動情報の内容は適宜変更可能である。
【０１１４】
上記実施形態では、制御部５５は、記憶部５４に記憶された運動内容設定アプリケーション（運動内容設定プログラムを含む）を読み取って実行することとした。しかしながら、本発明はこれに限らない。例えば、上記運動内容設定処理の実行時に、記録媒体から当該運動内容設定プログラムを読み取って実行する構成としてもよい。例えば、このような記録媒体としては、磁気テープ、磁気ディスク、光ディスク、光磁気ディスク、ハードディスク装置、並びに、半導体メモリー等を用いることができ、これらを利用して、運動内容設定プログラムを情報処理装置にてインストール及び実行することができるほか、当該運動内容設定プログラムの配布を容易に行うことができる。更に、運動内容設定プログラムをネットワーク上の機器から取得して実行してもよい。
【符号の説明】
【０１１５】
１…運動内容設定システム、２…測定装置（端末装置）、３…処理端末（端末装置）、４…サーバー（運動内容設定装置、情報蓄積装置）、５…情報処理装置（運動内容設定装置、結果情報生成装置、追加運動設定装置）、５５６…活動情報取得部、５５８…運動内容設定部、ＤＣ…データセンター、ＦＣ…施設、ＵＳ…ユーザー。
【図１】
2017070598.tif 000003
【図２】
2017070598.tif 000004
【図３】
2017070598.tif 000005
【図４】
2017070598.tif 000006
【図５】
2017070598.tif 000007
【図６】
2017070598.tif 000008
【図７】
2017070598.tif 000009
【図８】
2017070598.tif 000010
【図９】
2017070598.tif 000011
【図１０】
2017070598.tif 000012
【図１１】
2017070598.tif 000013
【図１２】
2017070598.tif 000014
【図１３】
2017070598.tif 000015
【図１４】
2017070598.tif 000016